(57)【要約】本発明は、家具(１１)又は家庭用器具(１２)のための貯蔵棚ベース(１)に関し、家具(１１)又は家庭用器具(１２)の本体(１３、１４)の所定箇所に固定されて配置される支持プレート(２)と、支持プレート(２)に確実に案内され、同時に回転移動と並進移動が可能な貯蔵棚(３)とを備える。支持プレート(２)と貯蔵棚(３)の互いに向かい合うベアリング面(２１、３３)は、ローラ本体(１０)が案内される、少なくとも大部分が閉じた円周方向の走行溝(２２、３４)を夫々有し、支持プレート(２)は、家具(１１)又は家庭用器具(１２)の本体(１３、１４)に取り外し可能に固定される。家具(１)又は家庭用器具(１２)の本体(１３、１４)上に支持プレート(２)を取り外し可能に固定するための少なくとも１つの締結領域(２５)が、支持プレート(２)上に形成され、貯蔵棚(３)は、工具なしで支持プレート(２)上に固定可能である。本発明はまた、家具(１１)又は家庭用器具(１２)に関する。本発明は更に、貯蔵棚ベース(１)を取り付ける方法に関する。【選択図】図１
2021531847.tif 000002
【特許請求の範囲】
【請求項１】
家具(１１)又は家庭用器具(１２)のための貯蔵棚ベース(１)であって、
家具(１１)又は家庭用器具(１２)の本体(１３、１４)の所定箇所に固定されて配置される支持プレート(２、１２０、２２０)と、
支持プレート(２、１２０、２２０)に確実に案内され、同時に回転移動と並進移動が可能な貯蔵棚(３、１３０、２３０)とを備え、
支持プレート(２、１２０、２２０)と貯蔵棚(３、１３０、２３０)の互いに向かい合うベアリング面(２１、３３、１２１、１３３、２２１、２３３)は、ローラ本体(１０)が案内される、少なくとも大部分が閉じた円周方向の走行溝(２２、３４、１２２、１３４、２２２、２３４)を夫々有し、
支持プレート(２、１２０、２２０)は、家具(１１)又は家庭用器具(１２)の本体(１３、１４)に取り外し可能に固定される貯蔵棚ベース(１)において、
家具(１)又は家庭用器具(１２)の本体(１３、１４)上に支持プレート(２、１２０、２２０)を取り外し可能に固定するための少なくとも１つの締結領域(２５)が、支持プレート(２、１２０、２２０)上に形成され、
貯蔵棚(３、１３０、２３０)は、工具なしで支持プレート(２、１２０、２２０)上に固定可能である、貯蔵棚ベース(１)。
【請求項２】
走行溝(２２、３４)が支持プレート(２)及び貯蔵棚(３)のベアリング面(２１、３３)に一体化されている、請求項１に記載の貯蔵棚ベース(１)。
【請求項３】
走行溝(１２２、１３４、２２２、２３４)が、支持プレート(１２０、２２０)及び貯蔵棚(１３０、２３０)のベアリング面(１２１、１３３、２２１、２３３)に締結され、特に材料的に接着又はねじ止めされている、請求項１に記載の貯蔵棚ベース(１)。
【請求項４】
前記支持プレート(２)のガイドチャネル(５)内に突出するスタッド(６)が、前記貯蔵棚(３)のベアリング面(３３)上に配置されている、請求項１又は２に記載の貯蔵棚ベース(１)。
【請求項５】
前記ガイドチャネル(５)は、少なくとも部分的にアンダーカット(５５)を有し、該アンダーカット(５５)の裏側で、前記支持プレート(２)上に前記貯蔵棚(３)が設置された状態において、前記スタッド(６)のカム(６２)が、前記支持プレート(２)に対する前記貯蔵棚(３)の水平移動中に少なくとも係合する、請求項４に記載の貯蔵棚ベース(１)。
【請求項６】
前記ガイドチャネル(５)は少なくとも１つのキャッチ要素(５４)を有する設置領域(５３)を有し、該キャッチ要素(５４)内にスタッド(６)が挿入可能である、請求項４又は５に記載の貯蔵棚ベース(１)。
【請求項７】
前記ガイドチャネル(５)の一端部にテーパ(５８)が設けられ、該テーパを用いて該スタッド(６)が、貯蔵棚(３)の支持プレート(２)に対する開始位置に保持される、請求項４乃至６の何れかに記載の貯蔵棚ベース(１)。
【請求項８】
前記テーパ(５８)は、互いに対向して配置されたキャッチ要素(５４)の自由端によって形成される、請求項７に記載の貯蔵棚ベース(１)。
【請求項９】
前記案内溝(５)は、前記案内溝(５)の外側輪郭に適合した前記支持プレート(２)の凹部(２３)内に設置される別個の構成要素として構成されている、請求項４乃至８の何れかに記載の貯蔵棚ベース(１)。
【請求項１０】
前記案内溝(５)は外周に少なくとも１つのキャッチラグ(５６)を有し、該キャッチラグ(５６)は支持プレート(２)の凹部(２３)のキャッチ凹部(２９)にロック可能である、請求項９に記載の貯蔵棚ベース(１)。
【請求項１１】
前記ガイド溝(５)の外周(５２)は、位置決め片(５７)を有して非対称に形成されて、前記支持プレート(２)の前記凹部(２３)内に所定の設置位置を確保している、請求項９又は１０に記載の貯蔵棚ベース(１)。
【請求項１２】
前記締結領域(２５)は、締結要素を保持するための少なくとも１つの受け部を有する、請求項１乃至１１の何れかに記載の貯蔵棚ベース(１)。
【請求項１３】
前記受け部は吸引カップ(７)として構成された締結要素を保持するための吸引カップ受け部(２６)として構成される、請求項１２に記載の貯蔵棚ベース(１)。
【請求項１４】
少なくとも１つの受け部は、ねじ付きボルト(９)として構成された締結要素を通過させて案内するためのボルト受け部(２４)として構成されている、請求項１２に記載の貯蔵棚ベース(１)。
【請求項１５】
前記締結領域(２５)は、少なくとも１つの接着面を有し、その上に接着要素(８)を取り付けて、支持プレート(２、１２０、２２０)を家具(１１)又は家庭用器具(１２)の底部パネル１５に固定する、請求項１に記載の貯蔵棚ベース(１)。
【請求項１６】
前記貯蔵棚ベース(１)は、前記ローラ本体(１０)が配置されたローラ本体ケージ(４)を有し、前記支持プレート(２)は、前記ローラ本体ケージ(４)のための少なくとも１つの位置決め要素(２０)を有する、請求項１乃至１５の何れかに記載の貯蔵棚ベース(１)。
【請求項１７】
請求項１乃至１６の何れかに記載の貯蔵棚ベース(１)を少なくとも１つ有する本体(１３)を備えた家具(１１)。
【請求項１８】
請求項１乃至１６の何れかに記載の貯蔵棚ベース(１)を少なくとも１つ有する本体(１４)を備えた家庭用器具(１２)、特に冷蔵庫又は冷凍庫。
【請求項１９】
請求項１乃至１６の何れかに記載の貯蔵棚ベース(１)を本体(１３、１４)に設置する方法であって、
a. 請求項１１、１２又は１３に記載の着脱自在な締結要素の１つにより、支持プレート(２)を家具(１１)又は家庭用器具(１２)の本体(１３、１４)に取り付けるステップと;
b. ローラ本体(１０)が取り付けられたローラ本体ケージ(４)を支持プレート(２)上に配置するステップと;
c. ベアリング面(３３)を有する貯蔵棚(３)をローラ本体ケージ(４)上に載置するステップであって、貯蔵棚(３)のベアリング面(３３)から突出したスタッド(６)がガイドチャネル(５)に挿入されるステップとを有する、方法。
【請求項２０】
更に、
d. 走行溝本体(１０１、２０２)を支持プレート(１２０、２２０)へ取り付けるステップと;
e. 走行溝本体(１０１、２０１)を貯蔵棚(１３０、２３０)に取り付けるステップとを有する、請求項３又は１９に記載の方法。
【請求項２１】
走行溝本体(１０１、１０２、２０１、２０２)の支持プレート(１２０、２２０)及び貯蔵棚(１３０、２３０)への取り付けは、接着又はねじ止めによって行われる、請求項２０に記載の方法。
【発明の詳細な説明】
【技術分野】
【０００１】
本発明は、請求項１の前提部分に記載の家具又は家庭用器具のための貯蔵棚ベースに関する。本発明は、さらに、そのような貯蔵棚ベースを有する家具又は家庭用器具に関する。
【背景技術】
【０００２】
問題のタイプの貯蔵棚ベースは、大凡支持プレートと、該支持プレートの上を案内されて同時に回転移動及び並進移動可能な貯蔵棚とからなり、同時に回転移動及び並進移動できることは、家具又は家庭用器具、例えば、オフィス、キッチン、冷蔵庫又は冷凍庫キャビネットの貯蔵スペースに到達することが困難な領域へのアクセスを可能にする。
このように、ターンテーブルを備えた貯蔵棚ベースは、ドイツ公開公報42 16 765号から公知であり、ターンテーブルは、貯蔵棚ベースのベースプレートに直接取り付けられる。
【０００３】
支持プレートに対して確実に案内される、同時に回転移動及び並進移動が可能な貯蔵棚は、ドイツ公開公報10 2017 106 170号から公知である。
先行技術から知られているこれらの貯蔵棚ベースは、一方では、このような貯蔵棚ベースを設置するのに比較的複雑であるという欠点を有する。
さらに、設置するのが比較的複雑であるために、貯蔵棚ベースの清掃は、設置された状態でのみ可能であり、その結果、貯蔵棚ベースの一部分は、貯蔵棚ベース全体を事前に除去した後にのみ清掃され得る。
【発明の概要】
【０００４】
本発明の目的は、家具又は家庭用器具の本体に、より簡単な方法で取り付け、取り外し、及び清掃することができる貯蔵棚ベースを提供することである。
この目的は、請求項１の特徴を有する家具又は家庭用器具のための貯蔵棚ベースによって達成される。
上述の目的は、更に、請求項１７の特徴を有する家具と、請求項１８の特徴を有する家庭用器具とによって達成される。また、貯蔵棚ベースの設置方法は、請求項１９に記載されている。
【０００５】
本発明による貯蔵棚ベースは、家具又は家庭用器具の本体上に静止状態で配置された支持プレートと、支持プレートに対して確実に案内され、、同時に回転移動と並進移動が可能な貯蔵棚とを有する。
互いに向かい合う支持プレートと貯蔵棚のベアリング面は、ローラ本体が案内される少なくとも大部分が閉じた円周方向の走行溝を有する。支持プレートは、家具又は家庭用器具の本体に取り外し可能に固定され得る。
【０００６】
家具又は家庭用器具の本体上に支持プレートを取り外し可能に固定するための少なくとも１つの締結領域が、支持プレート上に形成される。貯蔵棚は、この場合、工具なしで支持プレート上に固定可能である。
このように構成された貯蔵棚は、容易に組み立てることができ、家具又は家庭用器具の本体に取り付けられ得る。
このように工具を使用せずに貯蔵棚を支持プレート上に固定することにより、貯蔵棚ベースの容易な清掃及び取り外しも可能になる。
更に、貯蔵棚ベースは、工場での従来の設置を省略することによって、先行技術から知られている貯蔵棚に対して費用効果的に製造され、輸送されることができる。
本発明の有利な実施形態の変形例は、従属請求項の主題である。
【０００７】
本発明の有利な実施形態の変形例によれば、走行溝は、支持プレート及び貯蔵棚のベアリング面に一体化されている。従って、貯蔵棚ベースの低い構造的高さが可能になる。
本発明の別の有利な実施形態によれば、走行溝は、支持プレート及び貯蔵棚のベアリング面に固定され、特に、材料結合されるか、又はねじ留めされる。
従って、支持プレート及び貯蔵棚には走行溝が形成されておらず、ガイドチャネル及びスタッドのための開口部が、夫々支持プレート又は貯蔵棚に導入される必要がないので、支持プレート及び貯蔵棚は、製造が著しく簡単である。
【０００８】
本発明の有利な実施形態の変形例によれば、支持プレートのガイドチャネル内に突出するスタッドが、貯蔵棚のベアリング面上に配置される。スタッドは、有利には、この場合、マッシュルーム形状の頭部を有することができる。
これにより、並進運動のための支持プレートに関連して、貯蔵棚の簡単で信頼性のあるガイドが可能になる。
更なる有利な実施形態によると、ガイドチャネルは、アンダーカットを有し、貯蔵棚の設置状態にて、このアンダーカットの裏側に、スタッドのカムが、支持プレート上に係合する。この場合、アンダーカットは、ガイドチャネルの全領域にわたって形成することができる。
【０００９】
アンダーカットは、貯蔵棚の移動中にスタッドと係合するガイドチャネルの領域にのみ形成されるのが有利である。
従って、開始位置では、貯蔵棚は、大きな力を加えることなく支持プレートから取り外すことができ、貯蔵棚は、移動中に支持プレート上に固定される。
このように、貯蔵棚を支持プレート上に垂直方向に固定することは、簡単な方法で確保される。
１つの好ましい実施形態の変形例によれば、貯蔵棚への支持プレートの工具を使用しない取り付けを容易にするために、ガイドチャネルは、スタッドが挿入可能な少なくとも1つのキャッチ要素を有する取り付け領域を有する。
【００１０】
貯蔵棚が、開始位置から支持プレートに対して不用意にスライド又は旋回することを防止するために、テーパがガイドチャネルの一端に設けられ、これを使用して、スタッドは、貯蔵棚が支持プレートに対して開始位置に保持され得る。
このテーパは、互いに対向して配置されたキャッチ要素の自由端によって形成されるのが好ましい。
従って、キャッチ要素は、２つの異なるタスク、即ち、第１に、スタッドをガイドチャネル内に垂直方向に取り外し可能に固定すること、第２に、貯蔵棚をその開始位置に保持する位置にスタッドを上述のように先立って固定することとを果たす。
【００１１】
更なる有利な実施形態の変形例によれば、ガイドチャネルは、ガイドチャネルの外側輪郭に適合した支持プレートの凹部内に設置可能な別個の構成要素として形成される。
ガイドチャネルはその外周上に、支持プレートの凹部のキャッチ凹部内にロック可能である少なくとも1つのキャッチラグを有することが好ましく、これにより、ガイドチャネルは、支持プレートの凹部内に簡単な方法で挿入可能且つロック可能である。
更に好ましい実施形態の変形例によれば、ガイドチャネルの外周は非対称に形成され、位置決め片が設けられているので、設置の間、ガイドチャネルのテーパは、支持プレートへの所定位置に専ら挿入可能である。
【００１２】
実施形態の変形例によれば、貯蔵棚ベースは、更にローラ本体を保持するためのローラ本体ケージを有し、支持プレートは、ローラ本体ケージを正確に位置決めするための少なくとも１つの位置決め要素を有する。
更なる実施形態の変形例によれば、支持プレートの締結領域は、締結要素を保持するための少なくとも１つの受け部を有する。
１つの好ましい実施形態の変形例によれば、締結要素は、ここでは吸引カップとして設計され、受け部は吸引カップを保持するための吸引カップ受け部として構成される。
この実施形態の変形例は、特に、そのような吸引カップが良好な保持を保証するガラス底部パネルを有する冷蔵庫での使用に適している。
【００１３】
代替の実施形態の変形例によれば、、少なくとも１つの受け部は、ねじを切ったボルトとして構成された締結要素を通して案内するためのボルト受け部として構成される。
この実施形態の変形例は、特に、木製又はプラスチック製の底部パネルを有する家具に使用するのに適している。
更に別の実施形態の変形例によれば、締結領域は、少なくとも１つの接着面を有し、その上に、支持プレートを家具又は家庭用器具の底部パネルに固定するための接着要素が取り付け可能である。
ここでは、接着要素として、例えば両面粘着テープが考えられる。
本発明による家具は、上述したような貯蔵棚ベースによって区別される。
本発明による家庭用器具は、上述したような貯蔵棚ベースによっても区別される。
【００１４】
本発明による貯蔵棚ベースを取り付けるための方法は、以下のステップを有する:
a. 上述の着脱自在な締結要素の１つを用いて家具や家電用器具の本体に支持プレートを取り付けるステップ;
b. 内部に取り付けられたローラ本体を有するローラ本体ケージを支持プレート上に配置するステップ;
c. ベアリング面を有する貯蔵棚をローラ本体ケージ上に配置し、貯蔵棚のベアリング面から突出したスタッドを前記ガイドチャネル内に挿入するステップ。
任意選択的に、支持プレートの凹部内へのガイドチャネルの挿入は、ガイドチャネルが別個の構成要素として具現化される場合、ステップaの後にステップa１としても行われる。
この場合、ステップa１は、工場で既に実行することができるので、このステップは、最終顧客の場所に貯蔵棚を設置する際には省略される。
ガイドチャネルは、支持プレート上に一体的に形成することもできる。
【図面の簡単な説明】
【００１５】
以下の図面に基づいて、本発明の好ましい例示的な実施形態が以下により詳細に説明される。
【図１】本発明による貯蔵棚ベースの実施形態の変形例の斜視図である。
【図２】本発明による貯蔵棚ベースの実施形態の変形例の分解斜視図である。
【図３】図２に示す貯蔵棚ベースの側面図を示し、部分的に取り付けられた構成要素を有する。
【図４】貯蔵棚ベースの支持プレートの別の斜視図である。
【図５】貯蔵棚ベースの支持プレートの別の斜視図である。
【図６】貯蔵棚の下側の斜視図を示し、該下側に形成された走行溝と下側から突出するスタッドとを有する。
【図７】別個の要素として具体化されたガイドチャネルの別の斜視図である。
【図８】別個の要素として具体化されたガイドチャネルの別の斜視図である。
【図９】本発明による貯蔵棚ベースの別の実施形態の変形例の斜視図である。
【図１０】図９に従った実施形態の変形例の分解斜視図である。
【図１１】別個の要素として形成された走行溝の異なる斜視図であり、図９の実施形態の変形例の走行溝間に取り付けられたローラ本体とローラ本体ケージを有する。
【図１２】別個の要素として形成された走行溝の異なる斜視図であり、図９の実施形態の変形例の走行溝間に取り付けられたローラ本体とローラ本体ケージを有する。
【図１３】本発明による貯蔵棚ベースの別の実施形態の変形例の斜視図である。
【図１４】図１３による実施形態の変形例の分解斜視図である。
【図１５】別個の要素として形成された走行溝の異なる斜視図であり、図１３の実施形態の変形例の走行溝間に取り付けられたローラ本体とローラ本体ケージを有する。
【図１６】別個の要素として形成された走行溝の異なる斜視図であり、図１３の実施形態の変形例の走行溝間に取り付けられたローラ本体とローラ本体ケージを有する。
【図１７】本発明による貯蔵棚ベースを有する家庭用器具を示す。
【図１８】本発明による貯蔵棚ベースを有する家庭用器具を示す。
【発明を実施するための形態】
【００１６】
以下の図面の記載において、上、下、左、右、前、後などの用語は、専ら貯蔵棚ベース、支持プレート、貯蔵棚、ガイドチャネル、スタッドなどの夫々の図で選択された例示的な記載及び位置に関連する。これらの用語は、限定的であると理解されるべきではなく、即ち、これらの言及は異なる動作位置又は鏡面対称設計などのために変化し得る。
本発明による貯蔵棚ベースの実施形態の変形例は、全体として図１の符号１によって識別される。
【００１７】
図２に示すように、貯蔵棚ベース１は、支持プレート２と、支持プレート２に対して積極的に案内される、同時に回転及び並進移動可能な貯蔵棚３とを有する。
図１７及び図１８の例によって概略的に示される支持プレート２は、例えばオフィス、キッチン、冷蔵庫又は冷凍庫キャビネットである家具１１又は家庭用器具１２の本体１３、１４に固定されている。
【００１８】
更に図２に示すように、支持プレート２と貯蔵棚３の互いに向かい合うベアリング面２１、３３は夫々、ローラ本体１０が案内される、少なくとも大部分が閉じた円周方向の走行溝２２、３４を有する。
ローラ本体１０はここではローラ本体ケージ４に収容される。ローラ本体ケージ４は、ここに示された好ましい実施形態では、大凡円形の本体４１を備えており、該本体４１からウェブ４２が半径方向の内側と外側に延び、ウェブ４２の両端にローラ本体受け部４３が形成され、ローラ本体受け部４３にローラ本体１０が保持されることにより、貯蔵棚３と支持プレート２との間に簡易に配置されると同時に、稼働中に落下に対して担保される。
【００１９】
ローラ本体受け部４３は、ローラ本体１０が拘束されて保持される形状になっている。また、ローラ本体ケージ４は、ローラ本体受け部４３の異なる形状及び異なる配置を有することができる。
支持プレート２は、家具１１又は家庭用器具１２の本体１３、１４に取り外し可能に固定することができる。
【００２０】
この目的のために、図２に示すように、２つの締結領域２５が、支持プレート２上に形成され、支持プレート２を本体１３、１４上に、又は家具１１又は家庭用器具１２の固定部分、例えば底部パネル上に取り外し可能に固定する。
また、支持プレート２上にこのような締結領域２５を１つだけ形成することも考えられる。
貯蔵棚３は、工具なしで支持プレート２に固定可能である。このためには、図２、図３、図６に示すように、支持プレート２のガイドチャネル５内に突出するスタッド６が、貯蔵棚３のベアリング面３３上に配置されることが好ましい。スタッド６は、この目的のために、貯蔵棚３のベアリング面３３上又はベアリング面３３内に捕捉的に固定されるか、又は貯蔵棚３上に一体的に形成されるのが好ましい。
【００２１】
スタッド６をガイドチャネル５内に垂直に固定するために、ガイドチャネル５がアンダーカット５５を有し、アンダーカット５５の裏側に、スタッド６のカム６２が、支持プレート２上に貯蔵棚３が設置された状態にて係合するのが好ましい。
ガイドチャネル５は、図２、図７及び図８によく見られるように、ガイドチャネル５の外側輪郭に適合した支持プレート２の凹部２３内に設置可能な別個の構成要素として形成されるのが好ましい。
ガイドチャネル５を凹部２３内に固定するために、ガイドチャネル５は、図７、図８、及び図５に示すように、支持プレート２の凹部２３の対応するキャッチ凹部２９内にロック可能な、少なくとも1つのキャッチラグ５６を備えることが好ましい。
【００２２】
図７及び図８に更に示すように、ガイドチャネル５は、少なくとも１つのキャッチ要素５４を有する設置領域５３を有し、該設置領域５３内にスタッド６が容易に挿入可能である。
設置領域は、この場合、カム６２の外側輪郭とスタッド６の喉領域６１とに対応して形成され、その結果、貯蔵棚ベース１の組立中に、ガイドチャネル５を支持プレート２に挿入した後、貯蔵棚３が支持プレート２上に配置され、スタッド６のカム６２は、ガイドチャネル５の設置領域５３に突き刺さる。
【００２３】
貯蔵棚３の完全な設置は、「クリック」ノイズによってユーザに視覚的又は音響的に示される。この例示的な実施形態では、設置領域５３にはアンダーカットが設けられておらず、その結果、貯蔵棚３の設置及び取り外しの両方が、大きな力を加えることなく行われ得る。
設置が完了した後、貯蔵棚３は、設置領域５３から離れるようにガイドチャネル５に沿って並進移動することができる。この場合、図８に示すように、スタッド６のカム62は、アンダーカット５５の下方の領域に垂直に移動し、これにより、貯蔵棚３が、その移動中に、支持プレート２上にしっかりと保持されることが保証される。
【００２４】
図８に示すように、ガイドチャネル５の一端にテーパ５８が設けられ、該テーパ５８を用いて、貯蔵棚３を支持プレート２に対して開始位置に位置決めする位置にスタッド６を保持することができる。
従って、貯蔵棚３が、力を加えることなく、最初の開始位置から不注意に単独で移動しないことが保証される。
ここに示す実施形態の変形例では、テーパ５８は、互いに対向して配置されたキャッチ要素５４の自由端によって形成され、その距離ｄ２(テーパの幅)は、互いに対向して位置するアンダーカット５５の領域間の距離ｄ１(ガイドの幅)よりもわずかに小さい。
【００２５】
凹部２３におけるガイドチャネル５の正しい位置決めを確実にするために、ガイドチャネル５の外周５２は、位置決め片５７を形成することによって非対称に形成される。位置決め片５７は、ここに示す実施形態の変形例では、ガイドチャネルの一端に形成されている。
また、ガイドチャネル５の外周５２に位置決め片５７を別の箇所に設けることも考えられる。
ガイドチャネル５の設置は、スタッド６の固定、ひいては貯蔵棚３を開始位置に確実にするために、所定の位置合わせにおいてのみ行うことができることが重要である。
【００２６】
ガイドチャネル５の支持プレート２への挿入時には、挿入深さは、設置状態で支持プレート２のベアリング面２１に載る円周方向のアンダーカット５１によって制限される。
貯蔵棚３の上記開始位置において、スタッド６はガイドチャネル５の設置領域５３に保持される。
貯蔵棚３をローディング位置からアンローディング位置に移動させるためには、それに応じて貯蔵棚３に力を加える必要がある。
【００２７】
走行溝２２、３４は、ここでは以下に示すように形成される。貯蔵棚３に水平方向に力を与えると、貯蔵棚３は、図１に示す支持プレート２に対応する貯蔵棚３の向きに対応する開始点から、１８０度回転したローディング位置又はアンローディング位置に移動可能であり、ローディング位置又はアンローディング位置では貯蔵棚３は１８０度回転されるだけでなく、むしろガイドチャネル５の長さによって定義された距離によって並進するように変位して、ローディング及びアンローディングを容易にする。
貯蔵棚３の取り外しのために、図１に示す開始位置にて僅かに力を加えて貯蔵棚３を上方に持ち上げ、スタッド６のカム６２が設置領域５３から離れ、したがってガイドチャネル５から外れるようにする。
【００２８】
図２、図３及び図６に示すように、貯蔵棚３はその下側３３に複数のスタッド３５を有し、該スタッドを用いて、片側に積載されたときに、貯蔵棚３の傾斜位置を防止することができる。
図２乃至図５に示すように、支持プレート２の締結領域２５は、締結要素を保持するための少なくとも１つの受け部を有する。
この場合、複数の受け部が図２乃至図５に示されており、これらの受け部により、家具１１又は家庭用器具１２の底部パネル１５上での支持プレート２の異なる固定用のオプションが可能になる。
【００２９】
このようにして、締結領域２５は少なくとも１つの受け部を有し、該受け部は吸引カップ７として構成された締結要素を保持するための吸引カップ受け部２６として構成される。
更に、締結領域２５は、少なくとも１つの受け部を有し、該受け部は、ねじ付きボルト９として構成された締結要素を通過させて案内するためのボルト受け部２４として構成されている。
特に図４に示すように、締結領域２５は、少なくとも１つの接着面２７を有し、その上に接着要素８を取り付けて、支持プレート２を家具１１又は家庭用器具１２の底部パネル１５に固定することができる。接着要素８は、ここでは特に両面接着要素として構成されている。
【００３０】
図９乃至図１６に示される２つの実施形態の変形例では、図１乃至図８に示される実施形態の変形例とは対照的に、走行溝１２２、１３４、２２２、２３４は、支持プレート２及び貯蔵棚３のベアリング面２１、３３に一体化されず、むしろ別個の走行溝本体１０１、１０２、２０１、２０２として形成され、支持プレート１２０、２２０及び貯蔵棚１３０、２３０の夫々のベアリング面１２１、１３３、２２１、２３３に締結される。
従って、図９乃至図１２には、貯蔵棚ベース１の実施形態の変形例が示されており、この実施形態では、走行溝１２２、１３４は、支持プレート１２０及び貯蔵棚１３０上に、材料結合、特に接着剤結合によって固定されている。
図１３乃至図１６に示す貯蔵棚ベース１の変形例では、走行溝２２２、２３４は、支持プレート２２０及び貯蔵棚２３０にねじ止めされている。
【００３１】
図１１及び図１２又は図１５及び図１６に示すように、走行溝本体１０１、１０２、２０１、２０２は、この目的のために、支持プレート１２０、２２０及び貯蔵棚１３０、２３０の夫々のベアリング面１２１、１３３、２２１、２３３に面する側で平坦に形成され、支持プレート１２０、２２０及び貯蔵棚１３０、２３０のベアリング面１２１、１３３、２２１、２３３と十分に大きな接着剤又は接触面を提供する。
実際の走行溝１２２、１３４、２２２、２３４は、支持プレート１２０、２２０の夫々のベアリング面１２１、１３３、２２１、２３３と貯蔵棚１３０、２３０とは反対を向いている走行溝本体１０１、１０２、２０１、２０２の側に形成されている。
【００３２】
変形例である貯蔵棚ベース１にねじ止めされた場合、図１３乃至図１６に示すように、走行溝本体２０１、２０２内に更なるねじ受け部２０６が設けられ、これを通してねじ２０５を案内することができる。ねじ２０５は、ねじ受け部２０６を通して、支持プレート２２０及び貯蔵棚２３０内にこの目的のために設けられたねじ孔２０７にねじ込まれ、走行溝本体２０１、２０２を設置する。
図１０及び図１４に示すように、これらの実施形態の変形例では、ガイドチャネル１５０、２５０及びスタッド１６０、２６０を収容し、位置決めするための夫々の凹部１０３、１０４、２０３、２０４は、走行溝本体１０１、１０２、２０１、２０２の中央に形成されるのが好ましい。
ガイドチャネル１５０、２５０及びスタッド１６０、２６０はまた、支持プレート１２０、２２０及び貯蔵棚１３０、２３０のベアリング面１２１、１３３、２２１、２３３上の夫々の凹部１０３、１０４、２０３、２０４への挿入又はクリップ留め後の最終固定のために、材料結合又はねじ留めによって固定される。
【００３３】
走行溝１２２、１３４、２２２、２３４、ガイドチャネル１５０、２５０及びスタッド１６０、２６０の形状及び機能は、ここでは、図１乃至図８に基づいて上述した実施形態の変形例に本質的に対応する。
図１乃至図８に記載された実施形態の変形例とは対照的に、図９乃至図１６に示された実施形態の変形例では、支持プレート１２０、２２０及び貯蔵棚１３０、２３０は、ここでは走行溝が形成されておらず、ガイドチャネル１５０、２５０及びスタッド１６０、２６０のための開口部が、夫々支持プレート１２０、２２０又は貯蔵棚１３０、２３０に導入されなければならないので、製造が著しく簡単である。
上述の改良により、貯蔵棚ベース１の簡単な取り付け及び取り外し、並びに同時に省スペースの輸送が実施される。従って、ユーザによる取り付け及び取り外しが可能になり、これは、特に、既存の家具又は家庭用器具１２への貯蔵棚ベース１の後の取り付けの場合に非常に有利である。
【００３４】
貯蔵棚ベースを設置するには、以下のステップを実行する。
a. 上述の着脱自在な締結要素の１つを用いて家具や家電製品の本体に支持プレートを取り付けるステップ;
b. その中にローラ本体が取り付けられたローラ本体ケージを支持プレート上に配置するステップ
c. ベアリング面を有する貯蔵棚をローラ本体ケージ上に配置し、前記貯蔵棚のベアリング面から突出したスタッドを前記ガイドチャネル内に挿入するステップ。
【００３５】
ガイドチャネル５が別個の構成要素として具現化される場合、支持プレートの凹部へのガイドチャネルの挿入は、ステップaの後の更なるステップa1としても行われる。
この場合、ステップa1は、最終顧客の場所に貯蔵棚を設置する間、及び既に工場で行われることができ、その結果、このステップは、最終顧客の場所に貯蔵棚を設置する間には省略される。
貯蔵棚ベース１が常に正しく取り付けられるためには、上述の取付けステップに加えて、ローラ本体ケージ４が支持プレート２上に正確に位置決めされることも必要である。この目的のために、支持プレート２は、この例示的な実施形態では、貯蔵棚３に面するベアリング面２１上に２つの位置決め要素２０を有する。
【００３６】
しかし、１つ又は３つ以上の位置決め要素のみを設けることもできる。ローラ本体ケージ４は、後部外側のローラ本体受け部４３が位置決め要素２０に押し付けられるように、支持プレート２上に置かれている。
こうして、ローラ本体１０が走行溝２２、３４内を正しく動くことが確実になる。スタッド６とガイドチャネル５との相互作用によって、ローラ本体ケージ４上の貯蔵棚３の正しい位置決めが確保される。
【００３７】
図９乃至図１６に示すように、走行溝１２２、１３４、２２２、２３４を別々に形成する場合、走行溝本体１０２、２０２を支持プレート１２０、２２０に取り付けるステップd.及び走行溝本体１０１、２０１を貯蔵棚１３０、２３０に取り付けるステップe.はまた、ステップa.の前、又はステップa.とb.との間でも行われる。
走行溝本体１０１、１０２、２０１、２０２は、支持プレート１２０、２２０及び貯蔵棚１３０、２３０上に接着又はねじ止めされて、走行溝本体１０１、１０２、２０１、２０２を支持プレート１２０、２２０及び貯蔵棚１３０、２３０に取り付けるのが好ましい。
【符号の説明】
【００３８】
１     貯蔵棚ベース
２     支持プレート
２０   位置決め要素
２１   ベアリング面
２２   走行溝
２３   ガイドチャネル
２４   ボルト受け部
２５   締結領域
２６   吸引カップ受け部
２７   接着面
２８   凹部
２９   キャッチ凹部
３     貯蔵棚
３３   ベアリング面
３４   走行溝
３５   スタッド
４     ローラ本体ケージ
４１   本体
４２   ウェブ
４３   ローラ本体受け部
５     ガイドチャネル
５１   アンダカット
５２   外周
５３   設置地域
５４   キャッチ要素
５５   アンダカット
５６   キャッチラグ
５７   位置決め片
５８   テーパ
６     スタッド
６１   喉領域
６２   カム
７     吸引カップ
８     接着要素
９     ねじボルト
１０   ローラ本体
１１   家具
１２   家庭用器具
１３   本体
１４   本体
１５   底部パネル
１０１ 走行溝本体
１０２ 走行溝本体
１０３ 凹部
１０４ 凹部
１２０ 支持プレート
１２１ ベアリング面
１２２ 走行溝
１３０ 貯蔵棚
１３３ ベアリング面
１３４ 走行溝
１５０ ガイドチャネル
１６０ スタッド
２０１ 走行溝本体
２０２ 走行溝本体
２０３ 凹部
２０４ 凹部
２０５ ねじ
２０６ ねじ受け部
２０７ ねじ孔
２２０ 支持プレート
２２１ ベアリング面
２２２ 走行溝
２３０ 貯蔵棚
２３３ ベアリング面
２３４ 走行溝
２５０ ガイドチャネル
２６０ スタッド
ｄ１   ガイドの幅
ｄ２   テーパの幅
【図１】
2021531847.tif 000003
【図２】
2021531847.tif 000004
【図３】
2021531847.tif 000005
【図４】
2021531847.tif 000006
【図５】
2021531847.tif 000007
【図６】
2021531847.tif 000008
【図７】
2021531847.tif 000009
【図８】
2021531847.tif 000010
【図９】
2021531847.tif 000011
【図１０】
2021531847.tif 000012
【図１１】
2021531847.tif 000013
【図１２】
2021531847.tif 000014
【図１３】
2021531847.tif 000015
【図１４】
2021531847.tif 000016
【図１５】
2021531847.tif 000017
【図１６】
2021531847.tif 000018
【図１７】
2021531847.tif 000019
【図１８】
2021531847.tif 000020
【国際調査報告】
2021531847.tif 000021
2021531847.tif 000022
2021531847.tif 000023
2021531847.tif 000024